【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
ベース基板と、
前記ベース基板上に形成される第１アクティブパターンと、該第１アクティブパターン上に離隔されて形成される第１センシングソース電極と、前記第１アクティブパターン上に前記第１センシングソース電極と離隔して形成される第１センシングドレイン電極と、前記第１センシングソース電極及び前記第１センシングドレイン電極上に形成される第１センシングゲート電極とを含んで、第１光を感知する第１センシング素子と、
前記第１光の受光の有無に基づき、前記第１センシングゲート電極に第１センシングゲート電圧と前記第１センシングゲート電圧のレベルより高い第２センシングゲート電圧との内の少なくとも１つを提供する第１可変電圧部とを有することを特徴とするタッチ基板。
【請求項２】
前記第１可変電圧部は、前記第１光を受光しない時、前記第１センシングゲート電極に前記第１センシングゲート電圧を提供し、
前記第１光を受光した時、前記第１センシング素子の光電流を増加させるために前記第１センシングゲート電極に前記第２センシングゲート電圧を提供することを特徴とする請求項１に記載のタッチ基板。
【請求項３】
前記ベース基板上に形成される第１スイッチングゲート電極と、前記第１スイッチングゲート電極上に形成される第２アクティブパターンと、該第２アクティブパターン上に形成される第１スイッチングソース電極と、前記第２アクティブパターン上に前記第１スイッチングソース電極と離隔して形成される第１スイッチングドレイン電極とを含む第１スイッチング素子と、
前記第１スイッチングゲート電極と電気的に接続されて前記第１スイッチングゲート電極に第１センシングゲート信号を伝送する第１センシングゲートラインと、
前記第１センシングソース電極と電気的に接続されて前記第１センシングソース電極に第１バイアス電圧を伝送する第１バイアス電圧ラインと、
前記第１可変電圧部と電気的に接続されて前記第１可変電圧部に第２バイアス電圧を印加する第２バイアス電圧ラインとをさらに有することを特徴とする請求項１に記載のタッチ基板。
【請求項４】
前記第１可変電圧部は、前記第１光を遮断する第１遮光パターンと、
前記第１遮光パターン上に形成され、前記第１バイアス電圧ラインと電気的に接続される第１可変ソース電極と、
前記第２バイアス電圧ラインと電気的に接続される第２可変ソース電極と、
前記第１可変ソース電極と前記第２可変ソース電極との間に相互離隔されて形成され、前記第１センシングゲート電極と電気的に接続される第１共通ドレイン電極と、
前記第１及び第２可変ソース電極と前記第１共通ドレイン電極の下部に形成される第１共通アクティブパターンと、
前記第１及び第２可変ソース電極と前記第１共通ドレイン電極の上部に形成され、前記第１共通アクティブパターンと重畳する第１共通ゲート電極とを含むことを特徴とする請求項３に記載のタッチ基板。
【請求項５】
前記第１共通ゲート電極は、前記第２可変ソース電極と電気的に接続されて前記第２バイアス電圧を受信することを特徴とする請求項４に記載のタッチ基板。
【請求項６】
前記第１可変電圧部は、前記第１光を遮断する第１遮光パターンと、
前記第１遮光パターン上に形成され、前記第１バイアス電圧ラインと電気的に接続される第１入力電極と、
前記第２バイアス電圧ラインと電気的に接続される第２入力電極と、
前記第１入力電極と第２入力電極との間に相互離隔されて形成され、前記第１センシングゲート電極と電気的に接続される第１共通出力電極と、
前記第１及び第２入力電極と前記第１共通出力電極の下部に形成される第１共通アクティブパターンとを含むことを特徴とする請求項３に記載のタッチ基板。
【請求項７】
前記ベース基板上に形成される第２スイッチングゲート電極と、前記第２スイッチングゲート電極上に形成される第３アクティブパターンと、該第３アクティブパターン上に形成される第２スイッチングソース電極と、前記第３アクティブパターン上に前記第２スイッチングソース電極と離隔して形成される第２スイッチングドレイン電極とを含む第２スイッチング素子と、
前記第２スイッチングソース電極と電気的に接続される第２センシングドレイン電極と、前記第２センシングドレイン電極と離隔して形成される第２センシングソース電極と、前記第２センシングドレイン電極及び前記第２センシングソース電極の下部に形成される第４アクティブパターンと、前記第２センシングドレイン電極と第２センシングソース電極上に形成される第２センシングゲート電極とを含んで、第２光を感知する第２センシング素子と、
前記第２光の受光の有無に基づき、前記第２センシングゲート電極に第３センシングゲート電圧と前記第３センシングゲート電圧のレベルより高い第４センシングゲート電圧との内の少なくとも１つを提供する第２可変電圧部とをさらに有することを特徴とする請求項３に記載のタッチ基板。
【請求項８】
前記第２スイッチングゲート電極と電気的に接続される第２センシングゲートラインと、
前記第１スイッチングドレイン電極と電気的に接続され、前記第１光の感知による前記第１センシング素子からの第１センシング信号を出力する第１リードアウトラインと、
前記第２スイッチングドレイン電極と電気的に接続され、前記第２光の感知による前記第２センシング素子からの第２センシング信号を出力する第２リードアウトラインとをさらに有することを特徴とする請求項７に記載のタッチ基板。
【請求項９】
前記第１光は赤外光であり、前記第２光は可視光であって、
前記第１センシング素子の下部に形成され、前記第１光は透過させ、前記第２光は吸収する第２遮光パターンをさらに有することを特徴とする請求項７に記載のタッチ基板。
【請求項１０】
前記第１光は可視光であり、前記第２光は赤外光であって、
前記第２センシング素子の下部に形成され、前記第２光は透過させ、前記第１光は吸収する第２遮光パターンをさらに有することを特徴とする請求項７に記載のタッチ基板。
【手続補正２】
【補正対象書類名】明細書
【補正対象項目名】発明の名称
【補正方法】変更
【補正の内容】
【発明の名称】タッチ基板
【手続補正３】
【補正対象書類名】明細書
【補正対象項目名】０００１
【補正方法】変更
【補正の内容】
【０００１】
本発明は、タッチ基板に関し、より詳細には、タッチ感度を向上させたタッチパネルに用いられるタッチ基板に関する。
【手続補正４】
【補正対象書類名】明細書
【補正対象項目名】０００６
【補正方法】変更
【補正の内容】
【０００６】
そこで、本発明は上記従来のタッチパネルにおける問題点に鑑みてなされたものであって、本発明の目的は、タッチ感度を向上させたタッチパネルに用いられるタッチ基板を提供することにある。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
本発明に係るタッチ基板によれば、赤外光や可視光をセンシングするセンシング素子のセンシングゲート電極に印加されるセンシングゲート電圧を調節して光が受信されない状態での暗電流と光が受信された状態での光電流との差を増加させることができ、センシング素子の感度を向上させることができるという効果がある。
【手続補正１０】
【補正対象書類名】明細書
【補正対象項目名】００１６
【補正方法】変更
【補正の内容】
【００１６】
次に、本発明に係るタッチ基板を実施するための形態の具体例を図面を参照しながら説明する。